(57)【特許請求の範囲】
【請求項１】
ブレーキ操作に応じて車輪に付与する基準液圧を発生する基準液圧発生手段と、
車両の実減速度を検出する実減速度検出手段と、
制動要求に応じた車両の目標減速度を算出する目標速度算出手段と、
前記目標減速度が所定値より高く、前記目標減速度と前記実減速度の差が所定値以上の場合、前記基準液圧による制動力で不足する前記減速度の差分をアシスト制動力で補う制動力制御手段と、を備え、
前記制動力制御手段は、前記目標減速度と前記実減速度の差が所定値以上になると、フロント側配分とリア側配分による制動力前後配分を定常時配分と比較してフロント側配分を上げると共に、マスターシリンダ液圧に対する目標減速度特性を実減速度検出値による点を通る特性に書き換え、
前記目標減速度と前記実減速度の差が所定値未満になると、制動力前後配分を定常時配分に戻すと共に、補正した目標減速度特性を通常の特性に戻す制御を行う
ことを特徴とする制動力制御装置。
【請求項２】
請求項１に記載された制動力制御装置において、
前記基準液圧に加えるアシスト液圧を発生するアシスト液圧発生手段と、を備え、
前記制動力制御手段は、前記基準液圧による制動力で不足する前記減速度の差分を前記アシスト液圧によるアシスト制動力で補う
ことを特徴とする制動力制御装置。
【請求項３】
請求項１に記載された制動力制御装置において、
回生制動力を発生する回生制動力発生手段と、を備え、
前記制動力制御手段は、前記基準液圧による制動力で不足する前記減速度の差分を前記回生制動力で補う
ことを特徴とする制動力制御装置。
【請求項４】
請求項１から請求項３までの何れか１項に記載された制動力制御装置において、
前記制動力制御手段は、車両の旋回挙動を考慮してフロント側配分を上げた制動力前後配分に決定する
ことを特徴とする制動力制御装置。 
【発明の詳細な説明】
【技術分野】
【０００１】
本発明は、減速要求が高いとき、目標減速度と実減速度に差が出る場合、減速度の差分をアシスト制動力で補う制動力制御装置に関する。
【背景技術】
【０００２】
従来、ブレーキ液圧制御装置としては、検出されたマスターシリンダ液圧に対応する車両減速度と所期車両減速度とのずれ量を演算する。そして、ポンプからの吐出液を液圧制御弁で制御することによりこのずれ量をなくすようにアシスト液圧を発生させてマスターシリンダ液圧に加えるものが知られている（例えば、特許文献１参照）。
【先行技術文献】
【特許文献】
【０００３】
【特許文献１】特開２００６−１６８４１２号公報
【発明の概要】
【発明が解決しようとする課題】
【０００４】
しかしながら、従来のブレーキ液圧制御装置にあっては、車両大型化に伴う重量増により必要液量が増加する一方、パワーユニットルームのスペース縮小に伴い、ブレーキシステムの小型化が必須である。その結果、十分なアシスト液圧が発生できないため、目標減速度に到達する応答性が良くない、という問題があった。
【０００５】
本発明は、上記問題に着目してなされたもので、目標減速度と実減速度に差が出る制動時、目標減速度に到達する応答性を向上することができる制動力制御装置を提供することを目的とする。
【課題を解決するための手段】
【０００６】
上記目的を達成するため、本発明の制動力制御装置は、基準液圧発生手段と、実減速度検出手段と、目標速度算出手段と、制動力制御手段と、備える手段とした。
前記基準液圧発生手段は、ブレーキ操作に応じて車輪に付与する基準液圧を発生する。
前記実減速度検出手段は、車両の実減速度を検出する。
前記目標速度算出手段は、制動要求に応じた車両の目標減速度を算出する。
前記制動力制御手段は、前記目標減速度が所定値より高く、前記目標減速度と前記実減速度の差が所定値以上の場合、前記基準液圧による制動力で不足する前記減速度の差分をアシスト制動力で補う。
前記目標減速度と前記実減速度の差が所定値以上になると、フロント側配分とリア側配分による制動力前後配分を定常時配分と比較してフロント側配分を上げると共に、マスターシリンダ液圧に対する目標減速度特性を実減速度検出値による点を通る特性に書き換える。
前記目標減速度と前記実減速度の差が所定値未満になると、制動力前後配分を定常時配分に戻すと共に、補正した目標減速度特性を通常の特性に戻す制御を行う。 
【発明の効果】
【０００７】
よって、目標減速度が所定値より高く、目標減速度と前記実減速度の差が所定値以上の場合、制動力制御手段において、基準液圧による制動力で不足する減速度の差分がアシスト制動力で補われる。同時に、フロント側配分とリア側配分による制動力前後配分について、目標減速度と実減速度の差が所定値未満のときの定常時配分と比較してフロント側配分を上げる制御が行われる。
例えば、フロント側のみを液圧にて加圧する場合には、フロント側とリア側を液圧にて加圧する場合に比べ、消費液量が減少し、必要液圧は増加する。さらに、必要液圧までの到達時間は、供給する液量に依存する。
したがって、定常時配分と比較してフロント側配分を上げる制御を行うと、フロント側の消費液量の減少により昇圧応答性が向上し、フロント側の液圧が必要制動力に達するまでの到達時間が短縮される。
この結果、目標減速度と実減速度に差が出る制動時、目標減速度に到達する応答性を向上することができる。
さらに、目標減速度と実減速度の差が所定値以上になると、マスターシリンダ液圧に対する目標減速度特性が実減速度検出値による点を通る特性に書き換えられる。そして、目標減速度と実減速度の差が所定値未満になると、制動力前後配分が定常時配分に戻されると共に、補正した目標減速度特性が通常の特性に戻される。
したがって、ブレーキ操作有りのとき、目標減速度と補正後の目標減速度特性により、目標減速度を得るためにマスターシリンダ液圧に加える必要のあるアシスト制動力が算出される。
【図面の簡単な説明】
【０００８】
【図１】実施例１の制動力制御装置を適用した前輪駆動によるハイブリッド車の構成を示すブレーキシステム図である。
【図２】実施例１の制動力制御装置におけるVDCブレーキ液圧ユニットを示すブレーキ液圧回路図である。
【図３】実施例１の制動力制御装置の統合コントローラにて実行される制動力制御処理の流れを示すフローチャートである。
【図４】実施例１の制動力制御において用いられるマスターシリンダ液圧（負圧ブースタ出力）に対する目標減速度特性（Ｐ-Ｇ特性）を示す目標制動力特性図である。
【図５】実施例１の制動力制御において用いられるフロント側制動力とリア側制動力の関係を示す制動力前後配分特性である。
【図６】実施例１の制動力制御においてアシスト液圧指令値を決めるときに用いる目標差圧に対する差圧弁への作動電流値の関係特性の一例を示す図である。
【図７】通常時とフェード時と通常時（フロントのみ）とフェード時（フロントのみ）における液圧と消費液量の関係を示す液圧−液量関係説明図である。
【図８】必要制動力に到達する比較例の制動力応答特性と実施例１の制動力応答特性の対比関係を示す対比応答特性図である。
【図９】実施例２の制動力制御装置の統合コントローラにて実行される制動力制御処理の流れを示すフローチャートである。
【図１０】実施例２の制動力制御において用いられるフロント側制動力とリア側制動力の関係を示す制動力前後配分特性である。
【図１１】実施例３の制動力制御装置の統合コントローラにて実行される制動力制御処理の流れを示すフローチャートである。
【図１２】実施例３の制動力制御において用いられるフロント側制動力とリア側制動力の関係を示す制動力前後配分特性である。
【発明を実施するための形態】
【０００９】
以下、本発明の制動力制御装置を実現する最良の形態を、図面に示す実施例１〜実施例３に基づいて説明する。
【実施例１】
【００１０】
まず、構成を説明する。
実施例１の制動力制御装置の構成を、「全体システム構成」、「VDCブレーキ液圧ユニット構成」、「制動力制御構成」に分けて説明する。
【００１１】
［全体システム構成］
図１は、実施例１の制動力制御装置を適用した前輪駆動によるハイブリッド車の構成を示す。以下、図１に基づき、ＶＤＣを利用したブレーキシステムの全体構成を説明する。
【００１２】
前記ブレーキシステムの制動力発生系は、図１に示すように、ブレーキ液圧発生装置１（基準液圧発生手段）と、VDCブレーキ液圧ユニット２（アシスト液圧発生手段）と、ストロークセンサ３と、左前輪ホイールシリンダ４FLと、右前輪ホイールシリンダ４FRと、左後輪ホイールシリンダ４RLと、右後輪ホイールシリンダ４RRと、走行用電動モータ５と、を備えている。
【００１３】
すなわち、既存のＶＤＣシステム（ＶＤＣは、「Vehicle Dynamics Control」の略）を利用したブレーキシステムによる構成としている。なお、ＶＤＣシステムとは、高速でのコーナー進入や急激なハンドル操作などによって車両姿勢が乱れた際、横滑りを防ぎ、優れた走行安定性を発揮する車両挙動制御（＝ＶＤＣ制御）を行うシステムである。
【００１４】
前記ブレーキ液圧発生装置１は、ドライバーによるブレーキ操作に応じて前後輪の各輪に付与する基本液圧分を発生する基本液圧発生手段である。このブレーキ液圧発生装置１は、図１に示すように、ブレーキペダル１１と、負圧ブースタ１２と、マスターシリンダ１３と、リザーブタンク１４と、を有する。つまり、ブレーキペダル１１に加えられたドライバーのブレーキ踏力を、負圧ブースタ１２により倍力し、マスターシリンダ１３でマスターシリンダ液圧によるプライマリ液圧とセカンダリ液圧を作り出す。
【００１５】
前記VDCブレーキ液圧ユニット２は、ブレーキ液圧発生装置１と各輪のホイールシリンダ４FL，４FR，４RL，４RRとの間に介装される。VDCブレーキ液圧ユニット２は、VDCモータ２１により駆動する液圧ポンプ２２，２２を有し、マスターシリンダ液圧の増圧・保持・減圧を制御すると共に、マスターシリンダ液圧に加えるアシスト液圧を発生するアシスト液圧発生手段である。そして、VDCブレーキ液圧ユニット２とブレーキ液圧発生装置１とは、プライマリ液圧管６１とセカンダリ液圧管６２により接続されている。VDCブレーキ液圧ユニット２と各輪のホイールシリンダ４FL，４FR，４RL，４RRとは、左前輪液圧管６３と右前輪液圧管６４と左後輪液圧管６５と右後輪液圧管６６により接続されている。つまり、ブレーキ操作時、ブレーキ液圧発生装置１により発生したマスターシリンダ液圧で不足するとき、VDCブレーキ液圧ユニット２により加圧し、各輪のホイールシリンダ４FL，４FR，４RL，４RRに加えることで液圧制動力を得るようにしている。
【００１６】
前記ストロークセンサ３は、ドライバーによるブレーキペダル操作量をポテンショメータ等により検出する手段である。このストロークセンサ３は、例えば、回生協調ブレーキ制御を行う際に必要情報である目標減速度（＝ドライバー要求減速度）を検出する構成として、既存のＶＤＣシステムに対して追加された部品である。
【００１７】
前記各ホイールシリンダ４FL，４FR，４RL，４RRは、前後各輪のブレーキディスクに設定され、VDCブレーキ液圧ユニット２からの液圧が印加される。そして、各ホイールシリンダ４FL，４FR，４RL，４RRへの液圧印加時、ブレーキパッドによりブレーキディスクを挟圧することにより、前後輪に液圧制動力を付与する。
【００１８】
前記走行用電動モータ５は、左右前輪（駆動輪）の走行用駆動源として設けられ、駆動モータ機能と発電ジェネレータ機能を持つ。この走行用電動モータ５は、力行時、バッテリ電力を消費しながらのモータ駆動により、左右前輪へ駆動力を伝達する。そして、回生時、左右前輪の回転駆動に負荷を与えることで電気エネルギーに変換し、発電分をバッテリへ充電する。つまり、左右前輪の回転駆動に与える負荷が、回生制動力となる。この走行用電動モータ５が設けられる左右前輪（駆動輪）の駆動系には、走行用電動モータ５以外に、走行用駆動源としてエンジン１０が設けられ、変速機１１を介して左右前輪へ駆動力を伝達する。
【００１９】
前記ブレーキシステムの制動力制御系は、図１に示すように、ブレーキコントローラ７と、モータコントローラ８と、統合コントローラ９と、エンジンコントローラ１２と、を備えている。
【００２０】
前記ブレーキコントローラ７は、統合コントローラ９からの指令とVDCブレーキ液圧ユニット２のマスターシリンダ液圧センサ２４からの圧力情報を入力する。そして、所定の制御則にしたがって、VDCブレーキ液圧ユニット２のVDCモータ２１とソレノイドバルブ類２５，２６，２７，２８に対し駆動指令を出力する。
【００２１】
前記モータコントローラ８は、駆動輪である左右前輪に連結された走行用電動モータ５にインバータ１３を介して接続される。そして、ブレーキ制御時、統合コントローラ９から回生分指令を入力すると、走行用電動モータ５により発生する回生制動力を入力された回生分指令に応じて制御する。このモータコントローラ８は、走行時、走行状態や車両状態に応じて走行用電動モータ５により発生するモータトルクやモータ回転数を制御する機能も併せ持つ。
【００２２】
前記統合コントローラ９は、自動ブレーキ要求時、又は、ブレーキフェード時（以下、単に「フェード時」という。）等であって目標減速度と実減速度の差が所定値以上のときに制動力制御を行う。この制動力制御は、目標減速度と実減速度の差分をVDCブレーキ液圧ユニット２によるアシスト液圧分で補い、制動力前後配分をフロント優先配分とする。なお、目標減速度は、マスターシリンダ液圧センサ２４からのマスターシリンダ液圧と、予め設定されている目標減速度特性と、に基づいて算出する（目標速度算出手段）。この統合コントローラ９には、バッテリコントローラ９１からのバッテリ充電容量情報、車速センサ９２からの車速情報、ブレーキスイッチ９３からのブレーキ操作情報、ストロークセンサ３からのブレーキペダルストローク情報、マスターシリンダ液圧センサ２４からのマスターシリンダ液圧情報、等が入力される。なお、車速センサ９２としては、極低車速域までの車速検出が可能な車輪速回転数センサが用いられる。そして、車輪速回転数を時間微分演算処理することで、実減速度を求める（実減速度検出手段）。
【００２３】
［VDCブレーキ液圧ユニット構成］
図２は、アシスト液圧発生手段の一例であるVDCブレーキ液圧ユニットを示す。以下、図２に基づいて、VDCブレーキ液圧ユニット２の具体的構成を説明する。
【００２４】
前記VDCブレーキ液圧ユニット２は、ブレーキコントローラ７からの指令に基づいて、アシスト液圧を発生すると共に、フロント優先配分による制動力制御を行う。このVDCブレーキ液圧ユニット２は、図２に示すように、VDCモータ２１と、VDCモータ２１により駆動する液圧ポンプ２２，２２と、リザーバー２３，２３と、マスターシリンダ液圧センサ２４と、を有する。ソレノイドバルブ類として、第１M/Cカットソレノイドバルブ２５と、第２M/Cカットソレノイドバルブ２６と、保持ソレノイドバルブ２７，２７，２７，２７と、減圧ソレノイドバルブ２８，２８，２８，２８と、を有する。
【００２５】
前記第１M/Cカットソレノイドバルブ２５と前記第２M/Cカットソレノイドバルブ２６は、差圧弁であり、VDCモータ２１によるポンプ駆動時、ホイールシリンダ液圧（下流圧）とマスターシリンダ液圧（上流圧）の差圧（＝アシスト液圧）を制御する。
つまり、制動力制御時にブレーキコントローラ７からアシスト液圧指令が出力されると、VDCモータ２１によるポンプアップ昇圧と、第１M/Cカットソレノイドバルブ２５と第２M/Cカットソレノイドバルブ２６への作動電流値による差圧コントロールと、により差圧制御を行う。
【００２６】
前記保持ソレノイドバルブ２７，２７，２７，２７と減圧ソレノイドバルブ２８，２８，２８，２８は、制動力前後配分が決められると、決められたフロント側配分とリア側配分にしたがって、フロント側液圧とリア側液圧に振り分ける機能を備えている。
そして、VDCブレーキ液圧ユニット２は、上記制動力制御以外に、ＶＤＣ制御、ＴＣＳ制御、ＡＢＳ制御、回生協調ブレーキ制御、等を行う。
【００２７】
［制動力制御構成］
図３は、実施例１の制動力制御装置における統合コントローラ８で実行される制動力制御処理の流れを示す（制動力制御手段）。以下、実施例１の制動力制御構成をあらわす図３の各ステップについて説明する。
【００２８】
ステップＳ１では、ドライバーがブレーキ操作していないときに所定の車輪に制動力を付与する自動ブレーキ要求の有無を判断する。YES（自動ブレーキ要求有り）の場合はステップＳ７へ進み、NO（自動ブレーキ要求無し）の場合はステップＳ２へ進む。
ここで、自動ブレーキ要求は、例えば、走行中に駆動スリップが発生し、駆動スリップを抑えるＴＣＳ制御の開始条件が成立したときに出力される。
【００２９】
ステップＳ２では、ステップＳ１での自動ブレーキ要求無しであるとの判断に続き、マスターシリンダ液圧センサ２４からのマスターシリンダ液圧検出値を読み込み、ステップＳ３へ進む。
【００３０】
ステップＳ３では、ステップＳ２でのマスターシリンダ液圧の検出に続き、マスターシリンダ液圧検出値が所定値以上であるか否かを判断する。YES（マスターシリンダ液圧検出値≧所定値）の場合はステップＳ４へ進み、NO（マスターシリンダ液圧検出値＜所定値）の場合はステップＳ６へ進む。
ここで、「所定値」は、車両減速度が最大減速度域に相当するマスターシリンダ液圧の値に設定される。
【００３１】
ステップＳ４では、ステップＳ３でのマスターシリンダ液圧検出値≧所定値であるとの判断に続き、車速センサ９２からの車輪速回転数検出値を時間微分演算処理することで、実減速度を検出し、ステップＳ５へ進む。
【００３２】
ステップＳ５では、ステップＳ４での実減速度の検出に続き、目標減速度と実減速度の差が所定値以上であるか否かを判断する。YES（目標減速度−実減速度≧所定値）の場合はステップＳ７へ進み、NO（目標減速度−実減速度＜所定値）の場合はステップＳ６へ進む。
ここで、「目標減速度」は、マスターシリンダ液圧検出値と図４に示す目標減速度特性に基づき、マップ検索や演算により求められる。
また、「所定値」は、目標減速度と実減速度の乖離幅が、ドライバーに対し減速違和感を与えない許容値に設定される。
【００３３】
ステップＳ６では、ステップＳ３でのマスターシリンダ液圧検出値＜所定値であるとの判断、あるいは、ステップＳ５での目標減速度−実減速度＜所定値であるとの判断に続き、制動力前後配分とＰ-Ｇ特性を初期化し、エンドへ進む。
ここで、制動力前後配分の初期化とは、ステップＳ７にて制動力前後配分をフロント優先配分（例えば、フロント：リア＝100％：0％）としたとき、通常のフロント側配分とリア側配分（例えば、フロント：リア＝70％：30％）に戻すことをいう（図５のＹ→Ｘ）。また、Ｐ-Ｇ特性の初期化とは、ステップＳ７にてＰ-Ｇ特性を補正したとき、通常のＰ-Ｇ特性に戻すことをいう（図４の点線特性→実線特性）。
【００３４】
ステップＳ７では、ステップＳ１での自動ブレーキ要求有りとの判断、あるいは、ステップＳ５での目標減速度−実減速度≧所定値であるとの判断に続き、制動力前後配分をフロント優先配分に決定し、Ｐ-Ｇ特性を補正し、ステップＳ８へ進む。
ここで、「制動力前後配分のフロント優先配分に決定」とは、例えば、図５に示すように、通常のフロント側配分とリア側配分による等Ｇ線上のＸから、フロント側配分：リア側配分＝100％：0％のフロント優先配分による等Ｇ線上のＹに決定することをいう。
また、「Ｐ-Ｇ特性を補正」とは、例えば、図４の実線特性に示す通常のＰ-Ｇ特性を、図４の点線特性に示すように、実減速度検出値による点を通るＰ-Ｇ特性に書き換えることをいう。
【００３５】
ステップＳ８では、ステップＳ７での制動力前後配分の決定とＰ-Ｇ特性補正に続き、目標減速度と制動力前後配分とＰ-Ｇ特性に応じた各輪必要液圧を算出し、ステップＳ９へ進む。
ここで、「各輪必要液圧の算出」は、ブレーキ操作有りのとき、目標減速度と補正後のＰ-Ｇ特性により、図４に示すように、目標減速度を得るためにマスターシリンダ液圧に加える必要のあるアシスト液圧を算出する。また、自動ブレーキ要求（ブレーキ操作無し）のときには、自動ブレーキでの要求制動力を得るための液圧を、全てアシスト液圧として算出する。そして、制動力前後配分のフロント優先配分に基づき、左右前輪のホイールシリンダ４FL，４FRに対する必要液圧（マスターシリンダ液圧＋アシスト液圧）を算出し、左右後輪のホイールシリンダ４RL，４RRに対する必要液圧をゼロと算出する。
【００３６】
ステップＳ９では、ステップＳ８での各輪必要液圧の算出に続き、各輪を増圧し、エンドへ進む。
ここで、「各輪の増圧」とは、各輪必要液圧の算出に基づき、左右前輪のホイールシリンダ４FL，４FRのみに対して（マスターシリンダ液圧＋アシスト液圧）を加えることである。アシスト液圧は、VDCモータ２１によるポンプアップ昇圧と、目標差圧（＝アシスト液圧）に応じた作動電流値を第１M/Cカットソレノイドバルブ２５と第２M/Cカットソレノイドバルブ２６に印加する差圧コントロール（図６）と、により得る。
【００３７】
次に、作用を説明する。
まず、「比較例の制動力制御における課題」の説明を行う。続いて、実施例１の制動力制御装置における作用を、「制動力制御処理作用」、「制動力制御による応答性向上作用とユニット設計作用」に分けて説明する。
【００３８】
［比較例の制動力制御における課題］
既存のコンベンショナルＶＤＣによるブレーキシステムにおいて、目標減速度と実減速度の差が所定値以上となるフェード時、通常の制動力前後配分を保ったままで、減速度の差分をアシスト液圧で補うようにしたものを比較例とする。
ここで、「フェード」とは、摩擦ブレーキを使用すると摩擦により発熱するが、摩擦材が過熱し、材料によって決まる温度より高くなると極端に摩擦係数が小さくなり、その結果ブレーキが効きにくくなる現象をいう。
【００３９】
図７において、通常時を基点にすると、フェード時に通常時最大減速度相当液圧による制動力と同じ制動力を出すには、パッドの偏摩耗による消費液量増加と、パッド摩擦係数の低下に対する液圧増が必要である。そして、通常の制動力前後配分を保つものであるため、フロントとリアの両方を加圧することになり、消費液量はさらに増加する。したがって、等制動力点は、図７に示すように、通常時等制動力点Ａからフェード時等制動力点Ｂへと移行する。このように、フェード時等制動力点Ｂは、通常時等制動力点Ａに比べて消費液量が増加することにより、下記に列挙する課題が生じる。
【００４０】
(a) 目標減速度に対する応答性が低い。
フロントとリアの４輪の各ホイールシリンダに供給する消費液量が増加することで、図８の点線特性Ｃに示すように、必要制動力を得るホイールシリンダ液圧に到達する昇圧応答性が低くなる。つまり、図８の時刻t1の時点で必要制動力を得る指令が出力されると、時刻t3を経過するまでがむだ時間となり、時刻t3から昇圧を開始する。そして、必要制動力に到達するのは時刻t5になってしまう。
【００４１】
(b) ユニットサイズが大型化する。
車両大型化に伴う重量増により必要液量が増加する一方、エンジンやモータ等の駆動源を搭載するパワーユニットルームのスペース縮小に伴い、ブレーキシステムの小型化が必須である。これに対し、フェード時等制動力点Ｂは、図７に示すように、消費液量がＤとなる。したがって、ユニットサイズ設計に際し、フェードの発生を考慮し、消費液量Ｄを達成するサイズに設計する必要があり、ブレーキシステムが必然的に大型化してしまう。一方、ブレーキシステムを小型化したままとし、供給可能液量を図７のＥにすると、フェードの発生に対応する必要液量を確保することができない。
【００４２】
［制動力制御処理作用］
上記比較例の課題に対し、自動ブレーキ要求有りのとき、または、フェード時等で目標減速度と実減速度に差が生じたとき、制動力制御処理を行うようにしている。以下、これを反映する制動力制御処理作用を説明する。
【００４３】
まず、自動ブレーキ要求有りのときには、図３のフローチャートにおいて、ステップＳ１→ステップＳ７→ステップＳ８→ステップＳ９→エンドへと進む流れとなる。そして、ステップＳ７では、制動力前後配分がフロント優先配分（フロント側配分：リア側配分＝100％：0％）に決定され、次のステップＳ８では、自動ブレーキでの要求制動力を得るための液圧がアシスト液圧として算出される。次のステップＳ９では、左右前輪のホイールシリンダ４FL，４FRのみに対してアシスト液圧が加えられる。
【００４４】
自動ブレーキ要求無しで、マスターシリンダ液圧≧所定値、かつ、目標減速度−実減速度≧所定値のときには、図３のフローチャートにおいて、ステップＳ１→ステップＳ２→ステップＳ３→ステップＳ４→ステップＳ５→ステップＳ７→ステップＳ８→ステップＳ９→エンドへと進む流れとなる。そして、ステップＳ７では、制動力前後配分がフロント優先配分（フロント側配分：リア側配分＝100％：0％）に決定され、Ｐ-Ｇ特性が補正される。次のステップＳ８では、目標減速度と制動力前後配分とＰ-Ｇ特性に応じ、左右前輪のホイールシリンダ４FL，４FRのみに対する必要液圧が（マスターシリンダ液圧＋アシスト液圧）により算出される。そして、ステップＳ９では、各輪必要液圧の算出に基づき、左右前輪のホイールシリンダ４FL，４FRのみに対して（マスターシリンダ液圧＋アシスト液圧）が加えられる。
【００４５】
自動ブレーキ要求無しで、マスターシリンダ液圧＜所定値のときには、図３のフローチャートにおいて、ステップＳ１→ステップＳ２→ステップＳ３→ステップＳ６→エンドへと進む流れとなる。また、自動ブレーキ要求無しでマスターシリンダ液圧≧所定値であるが、目標減速度−実減速度＜所定値のときには、図３のフローチャートにおいて、ステップＳ１→ステップＳ２→ステップＳ３→ステップＳ４→ステップＳ５→ステップＳ６→エンドへと進む流れとなる。この何れかの条件が成立するときであって、制動力前後配分がフロント優先配分とされ、Ｐ-Ｇ特性が補正されているときは、ステップＳ６において、制動力前後配分とＰ-Ｇ特性が初期化される。
【００４６】
［制動力制御による応答性向上作用とユニット設計作用］
既存のブレーキシステムのユニットサイズを変更することなく、自動ブレーキ時の高応答性やフェード時の必要液圧を達成するには、相反する液量と省スペース化を成立させることが必要である。以下、これを反映する制動力制御による応答性向上作用とユニット設計作用を説明する。
【００４７】
通常時に制動力前後配分をフロント側配分のみにしたとき、通常時に制動力前後配分をフロント及びリアに配分したのと同じ制動力を出すには、図７において、液圧は上昇するものの消費液量が減少する。このため、通常時等制動力点Ａを基点にすると、通常時等制動力点Ａから通常時（フロントのみ）等制動力点Ｆへと移行する。
【００４８】
フェード時に制動力前後配分をフロント側配分のみにしたとき、フェード時に制動力前後配分をフロント及びリアに配分したのと同じ制動力を出すには、図７において、液圧は上昇するものの消費液量が減少する。このため、通常時等制動力点Ａを基点にすると、通常時等制動力点Ａからフェード時（フロントのみ）等制動力点Ｇへと移行する。
【００４９】
さらに、必要液圧までの到達時間は供給する必要がある消費液量に依存する。また、一般的に制動力前後配分は、フロント側配分：リア側配分＝７：３程度であり、フロント側の制動力が大きくなるよう設計されている。これは、制動時の荷重移動により前後輪の輪荷重配分が、前輪側配分大で後輪側配分小となり、例えば、前後輪に対し等配分にて制動力を与えると、後輪先ロックを招くことによる。
【００５０】
これらの関係に着目し、速い応答性が必要な自動ブレーキ要求時、又は、目標減速度が所定値以上、かつ、目標減速度と実減速度の差が所定値以上になるフェード時には、フロント優先の配分とすることで、下記の作用が発揮される。
【００５１】
(a) 目標減速度に対する応答性が向上する。
フロント優先の配分とし、ブレーキ液をフロントホイールシリンダ４FL，４FRのみに供給することで、通常の前後配分に基づき、フロント及びリアにブレーキ液を供給する場合に比べ、消費液量が減少（低下）する。この消費液量低下により、図８の実線特性Ｈに示すように、必要制動力を得るホイールシリンダ液圧に到達する昇圧応答性が向上する。つまり、図８の時刻t1の時点で必要制動力を得る指令が出力されると、時刻t2を経過すると昇圧を開始し、比較例の場合よりむだ時間が（t3−t2）だけ短縮される。そして、時刻t4にて必要制動力に到達し、必要制動力到達時間も（t5−t4）だけ短縮される。
この結果、自動ブレーキ要求時やフェード時に目標減速度に対する応答性が向上する。特に、速い応答性が要求される自動ブレーキ要求時、高応答性により必要制動力を得ることができる。
【００５２】
(b) ユニットサイズの小型化が可能である。
フロント優先の配分とすることで、フェード時のように消費液量が非フェード時に対して増える場合でも、消費液量を低減することができる。すなわち、フェード時（フロントのみ）等制動力点Ｇでの消費液量は、図７に示すように、既存のブレーキシステムでの供給可能液量Ｅとなり、比較例の液量Ｄと比べたとき、液量差ΔＩ（＝Ｄ−Ｅ）が得られる。したがって、ユニットサイズ設計に際し、既存のブレーキシステムのユニットサイズのままとして設計変更無しとした場合、比較例では、フェードの発生に対応する液量Ｄを達成することができず、ブレーキシステムのユニットサイズを大型化する必要がある。これに対し、ユニットサイズ設計に際し、既存のブレーキシステムのユニットサイズのままとして設計変更無しとした場合、実施例１では、フェードの発生に対応する供給可能液量Ｅを達成することができる。言い換えると、制動力制御を採用しても、フェード時の消費液量を考慮せずにユニット設計が可能となる。
この結果、車両大型化に伴う重量増により必要液量が増加する一方、エンジンやモータ等の駆動源を搭載するパワーユニットルームのスペース縮小に伴い、ブレーキシステムの小型化が必須であるというシステム要求に応えることができる。
【００５３】
次に、効果を説明する。
実施例１の制動力制御装置にあっては、下記に列挙する効果を得ることができる。
【００５４】
(1) ブレーキ操作に応じて車輪に付与する基準液圧（マスターシリンダ液圧）を発生する基準液圧発生手段（ブレーキ液圧発生装置１）と、
車両の実減速度を検出する実減速度検出手段（図３のステップＳ４）と、
制動要求に応じた車両の目標減速度を算出する目標速度算出手段（図３のステップＳ５）と、
前記目標減速度が所定値より高く、前記目標減速度と前記実減速度の差が所定値以上の場合、前記基準液圧（マスターシリンダ液圧）による制動力で不足する前記減速度の差分をアシスト制動力で補うと共に、フロント側配分とリア側配分による制動力前後配分について、前記目標減速度と前記実減速度の差が所定値未満のときの定常時配分と比較してフロント側配分を上げる制御を行う制動力制御手段（図３）と、
を備える。
このため、目標減速度と実減速度に差が出る制動時、目標減速度に到達する応答性を向上することができる。加えて、フロント優先配分により消費液量が減少することで、ブレーキシステムの小型化を達成することができる。
【００５５】
(2) 前記基準液圧（マスターシリンダ液圧）に加えるアシスト液圧を発生するアシスト液圧発生手段（VDCブレーキ液圧ユニット２）と、を備え、
前記制動力制御手段（図３）は、前記基準液圧（マスターシリンダ液圧）による制動力で不足する前記減速度の差分を前記アシスト液圧によるアシスト制動力で補う。
このため、(1)の効果に加え、アシスト液圧発生手段（VDCブレーキ液圧ユニット２）を備えたブレーキシステムの場合、システムを変更することなく、フェード時に必要なアシスト制動力を、アシスト液圧による制動力にて達成することができる。
【実施例２】
【００５６】
実施例２は、マスターシリンダ液圧による制動力で不足する減速度の差分を、実施例１のアシスト液圧による制動力に代え、回生制動力で補うようにした例である。
【００５７】
まず、構成を説明する。
実施例２の全体システム構成は、実施例１が前輪駆動のハイブリッド車であるのに対し、エンジン１０及び走行用電動モータ５（回生制動力発生手段）が後輪に連結されている後輪駆動のハイブリッド車とした点で異なる。つまり、実施例２では、制動力前後配分をフロント優先配分としたとき、マスターシリンダ液圧が供給されないリア側に回生制動力を付与する構成としている。
【００５８】
図９は、実施例２の制動力制御装置における統合コントローラ８で実行される制動力制御処理の流れを示す（制動力制御手段）。以下、実施例２の制動力制御構成をあらわす図９の各ステップについて説明する。
なお、ステップＳ２１〜ステップＳ２６の各ステップは、図３のステップＳ１〜ステップＳ６の各ステップと同様の処理ステップであるので説明を省略する。
【００５９】
ステップＳ２７では、ステップＳ２１での自動ブレーキ要求有りとの判断、あるいは、ステップＳ２５での目標減速度−実減速度≧所定値であるとの判断に続き、走行用電動モータ５による回生可能量を算出し、ステップＳ２８へ進む。
ここで、「回生可能量の算出」は、車速やバッテリ残容量やモータ温度やバッテリ温度、等により走行用電動モータ５で回生可能な充電量として算出される。
【００６０】
ステップＳ２８では、ステップＳ２７での回生可能量の算出に続き、制動力前後配分を回生優先前後配分に決定し、Ｐ-Ｇ特性を補正し、ステップＳ２９へ進む。
ここで、「制動力前後配分の回生優先前後配分」とは、例えば、図１０に示すように、通常のフロント側配分とリア側配分による実等Ｇ線上のＸ’から、フロント優先配分（フロント側配分：リア側配分＝100％：0％）による実等Ｇ線上のＹ’に移す。そして、フロント優先配分によるＹ’の位置から、目標等Ｇ線に向かって回生制動力（＝リア制動力）を嵩上げしたときに目標等Ｇ線と交わるＺ’を制動力前後配分点にすることをいう。
また、「Ｐ-Ｇ特性を補正」とは、例えば、図４の実線特性に示す通常のＰ-Ｇ特性を、実減速度の検出に基づき、図４の点線特性に示すように、実減速度の発生に応じたＰ-Ｇ特性に書き換えることをいう。
【００６１】
ステップＳ２９では、ステップＳ２８での回生優先前後配分の決定とＰ-Ｇ特性補正に続き、目標減速度と制動力前後配分とＰ-Ｇ特性に応じた各輪必要液圧を算出し、ステップＳ３０へ進む。
ここで、「各輪必要液圧の算出」は、自動ブレーキ要求（ブレーキ操作無し）のとき、自動ブレーキでの要求制動力と回生制動力の差をVDC液圧として算出する。そして、制動力前後配分のフロント優先配分に基づき、左右前輪のホイールシリンダ４FL，４FRに対する必要液圧（マスターシリンダ液圧又はVDC液圧）を算出し、左右後輪のホイールシリンダ４RL，４RRに対する必要液圧をゼロと算出する。
【００６２】
ステップＳ３０では、ステップＳ２９での各輪必要液圧の算出に続き、各輪を増圧し、エンドへ進む。
ここで、「各輪の増圧」とは、各輪必要液圧の算出に基づき、左右前輪のホイールシリンダ４FL，４FRのみに対して（マスターシリンダ液圧又はVDC液圧）を加えることである。また、ステップＳ３０では、各輪の増圧と共に、走行用電動モータ５に対して嵩上げ分の回生制動力を得る指令を出力する。
なお、他の構成は、実施例１と同様であるので、図示並びに説明を省略する。
【００６３】
次に、実施例２の制動力制御処理作用を説明する。
まず、自動ブレーキ要求有りのときには、図９のフローチャートにおいて、ステップＳ２１→ステップＳ２７→ステップＳ２８→ステップＳ２９→ステップＳ３０→エンドへと進む流れとなる。そして、ステップＳ２７では、回生可能量が算出され、ステップＳ２８では、制動力前後配分が回生優先前後配分（フロント側配分：リア側配分＝液圧制動力：回生制動力）に決定され、次のステップＳ２９では、自動ブレーキでの要求制動力を得るための液圧がVDC液圧として算出される。次のステップＳ３０では、左右前輪のホイールシリンダ４FL，４FRのみに対してVDC液圧による制動力が加えられ、左右後輪には回生制動力が加えられる。
【００６４】
自動ブレーキ要求無しで、マスターシリンダ液圧≧所定値、かつ、目標減速度−実減速度≧所定値のときには、図９のフローチャートにおいて、ステップＳ２１→ステップＳ２２→ステップＳ２３→ステップＳ２４→ステップＳ２５→ステップＳ２７→ステップＳ２８→ステップＳ２９→ステップＳ３０→エンドへと進む流れとなる。そして、ステップＳ２７では、回生可能量が算出され、ステップＳ２８では、制動力前後配分が回生優先前後配分（フロント側配分：リア側配分＝液圧制動力：回生制動力）に決定され、次のステップＳ２９では、左右前輪のホイールシリンダ４FL，４FRのみに対する必要液圧がマスターシリンダ液圧とされる。そして、ステップＳ３０では、各輪必要液圧の算出に基づき、左右前輪のホイールシリンダ４FL，４FRのみに対してマスターシリンダ液圧による制動力が加えられ、左右後輪には回生制動力が加えられる。
【００６５】
したがって、実施例２では、フェード時、マスターシリンダ液圧による制動力では不足する分を補うアシスト制動力を、実施例１のアシスト液圧による制動力に代え、回生制動力により得ることができる。このため、ユニット設計にてフェード時を考慮して液量を確保する設計を要しない。また、回生優先前後配分では、フロント側配分：リア側配分＝液圧制動力：回生制動力となり、実施例１のように、フロント優先配分によりフロント側のみに制動力を配分する場合に比べ、制動時における車両挙動安定性が達成される。
なお、他の作用は、実施例１と同様であるので、説明を省略する。
【００６６】
次に、効果を説明する。
実施例２の制動力制御装置にあっては、下記の効果を得ることができる。
【００６７】
(3) 回生制動力を発生する回生制動力発生手段（走行用電動モータ５）と、を備え、
前記制動力制御手段（図９）は、前記基準液圧（マスターシリンダ液圧）による制動力で不足する前記減速度の差分を前記回生制動力で補う（図１０）。
このため、上記(1)の効果に加え、回生制動力発生手段（走行用電動モータ５）を備えたブレーキシステムの場合、システムを変更することなく、フェード時に必要なアシスト制動力を、回生制動力にて達成することができる。
【実施例３】
【００６８】
実施例３は、制動力制御を行う際、車両挙動を考慮して制動力前後配分を決めるようにした例である。
【００６９】
まず、構成を説明する。
実施例３の全体システム構成は、実施例１の図１と同様である。つまり、実施例３では、制動力制御時に制動力前後配分を決めたとき、発生液圧（＝ホイールシリンダ液圧＋アシスト液圧）をフロント側とリア側に振り分け、液圧によりフロント側制動力とリア側制動力を与える構成としている。
【００７０】
図１１は、実施例３の制動力制御装置における統合コントローラ８で実行される制動力制御処理の流れを示す（制動力制御手段）。以下、実施例３の制動力制御構成をあらわす図１１の各ステップについて説明する。
なお、ステップＳ３１〜ステップＳ３６の各ステップは、図３のステップＳ１〜ステップＳ６の各ステップと同様の処理ステップであるので説明を省略する。
【００７１】
ステップＳ３７では、ステップＳ３１での自動ブレーキ要求有りとの判断、あるいは、ステップＳ３５での目標減速度−実減速度≧所定値であるとの判断に続き、制動力前後配分の配分リミッタを算出し、ステップＳ３８へ進む。
ここで、「配分リミッタの算出」は、図１２に示すように、制動力前後配分をフロント優先配分（フロント側配分：リア側配分＝100％：0％）としたとき、配分リミット線と交差するフロント制動力のリミッタ値Ｊとして算出される。なお、配分リミット線は、この線を超えた制動力前後配分としたとき、車両の制動旋回において回頭性が低下するおそれがある線として設定されている。
【００７２】
ステップＳ３８では、ステップＳ３７での配分リミッタの算出に続き、制動力前後配分を決定し、Ｐ-Ｇ特性を補正し、ステップＳ３９へ進む。
ここで、「制動力前後配分の決定」とは、例えば、図１２に示すように、制動力前後配分をフロント優先配分としたとき、フロント制動力がリミッタ値Ｊ以下の場合には、フロント優先配分により決定する。しかし、通常のフロント側配分とリア側配分による等Ｇ線上のＸ”から、フロント優先配分による等Ｇ線上のＹ”に移したとき、フロント制動力Ｙ”がリミッタ値Ｊを超える場合には、等Ｇ線上に沿って通常の制動力前後配分方向に戻したＺ”を制動力前後配分点にすることをいう。
また、「Ｐ-Ｇ特性を補正」とは、例えば、図４の実線特性に示す通常のＰ-Ｇ特性を、実減速度の検出に基づき、図４の点線特性に示すように、実減速度の発生に応じたＰ-Ｇ特性に書き換えることをいう。
【００７３】
ステップＳ３９では、ステップＳ３８での前後配分の決定とＰ-Ｇ特性補正に続き、目標減速度と制動力前後配分とＰ-Ｇ特性に応じた各輪必要液圧を算出し、ステップＳ４０へ進む。
ここで、「各輪必要液圧の算出」は、ブレーキ操作有りのとき、目標減速度と補正後のＰ-Ｇ特性により、図４に示すように、目標減速度を得るためにマスターシリンダ液圧に加える必要のあるアシスト液圧を算出する。また、自動ブレーキ要求（ブレーキ操作無し）のとき、自動ブレーキでの要求制動力をアシスト液圧として算出する。そして、トータル液圧（マスターシリンダ液圧＋アシスト液圧）を制動力前後配分の決定に基づき振り分け、左右前輪のホイールシリンダ４FL，４FRに対する必要液圧と、左右後輪のホイールシリンダ４RL，４RRに対する必要液圧を算出する。
【００７４】
ステップＳ４０では、ステップＳ３９での各輪必要液圧の算出に続き、各輪を増圧し、エンドへ進む。
ここで、「各輪の増圧」とは、各輪必要液圧の算出に基づき、左右前輪のホイールシリンダ４FL，４FRと左右後輪のホイールシリンダ４RL，４RRに対してそれぞれ必要液圧を加えることである。
なお、他の構成は、実施例１と同様であるので、図示並びに説明を省略する。
【００７５】
次に、実施例３の制動力制御処理作用を説明する。
まず、自動ブレーキ要求有りのときには、図１１のフローチャートにおいて、ステップＳ３１→ステップＳ３７→ステップＳ３８→ステップＳ３９→ステップＳ４０→エンドへと進む流れとなる。そして、ステップＳ３７では、配分リミッタが算出され、ステップＳ３８では、配分リミッタに基づき制動力前後配分が決定され、次のステップＳ３９では、左右前輪と左右後輪に与える必要液圧が算出される。次のステップＳ４０では、左右前輪のホイールシリンダ４FL，４FRと左右後輪のホイールシリンダ４RL，４RRに対してそれぞれ必要液圧による制動力が加えられる。
【００７６】
自動ブレーキ要求無しで、マスターシリンダ液圧≧所定値、かつ、目標減速度−実減速度≧所定値のときには、図１１のフローチャートにおいて、ステップＳ３１→ステップＳ３２→ステップＳ３３→ステップＳ３４→ステップＳ３５→ステップＳ３７→ステップＳ３８→ステップＳ３９→ステップＳ４０→エンドへと進む流れとなる。そして、ステップＳ３７では、配分リミッタが算出され、ステップＳ３８では、配分リミッタに基づき制動力前後配分が決定され、次のステップＳ３９では、左右前輪と左右後輪に与える必要液圧が算出される。そして、ステップＳ４０では、左右前輪のホイールシリンダ４FL，４FRと左右後輪のホイールシリンダ４RL，４RRに対してそれぞれ必要液圧による制動力が加えられる。
【００７７】
実施例３では、自動ブレーキ要求時やフェード時であって、制動力前後配分をフロント優先配分にすると車両の制動旋回において回頭性が低下することが予測されると、回答性の低下を抑える制動力前後配分に決定される。この回頭性低下予測は、制動力前後配分をフロント優先配分にしたとき、フロント制動力がリミッタ値Ｊを超えることでなされる。したがって、例えば、旋回制動中に前輪側が制動スリップした際、あるいは、制動スリップしそうな際に、フロント側配分を小さくすることで、回頭性の低下が抑制される。
なお、他の作用は、実施例１と同様であるので、説明を省略する。
【００７８】
次に、効果を説明する。
実施例３の制動力制御装置にあっては、下記の効果を得ることができる。
【００７９】
(4) 前記制動力制御手段（図１１）は、車両の旋回挙動を考慮してフロント側配分を上げた制動力前後配分に決定する（図１２）。
このため、上記(1)〜(3)の効果に加え、旋回制動時、フロント配分過多による回頭性の低下を抑制することができる。
【００８０】
以上、本発明の制動力制御装置を実施例１〜実施例３に基づき説明してきたが、具体的な構成については、これらの実施例に限られるものではなく、特許請求の範囲の各請求項に係る発明の要旨を逸脱しない限り、設計の変更や追加等は許容される。
【００８１】
実施例１，３では、基準液圧による制動力で不足する減速度の差分をアシスト液圧によるアシスト制動力で補う例を示した。また、実施例２では、基準液圧による制動力で不足する減速度の差分を回生制動力（＝アシスト制動力）で補う例を示した。しかしながら、アシスト制動力を、アシスト液圧による制動力と回生制動力を合わせた上乗せ分により得る例としても良い。例えば、実施例１の場合、必要なアシスト制動力に対し、アシスト液圧による制動力で不足するとき、不足分を回生制動力で補うような例としても良い。また、実施例２の場合、必要なアシスト制動力に対し、回生可能量による回生制動力で不足するとき、不足分をアシスト液圧による制動力で補うような例としても良い。
【００８２】
実施例１〜３では、目標速度算出手段として、マスターシリンダ液圧に対する目標減速度特性を用いて算出する例を示した。しかし、ペダルストロークやペダル踏力等のドライバーの要求減速度をあらわす情報に基づいて目標減速度を算出するようにしても良い。
【００８３】
実施例１〜３では、制動力制御手段として、液圧による制動力についてフロント側配分100％のフロント優先配分をベースとし、制動力前後配分を決定する例を示した。しかし、制動力制御手段としては、例えば、フロント側配分80％〜100％というように、定常時配分（70％程度）と比較してフロント側配分を上げる制御行うものであればよい。
【００８４】
実施例１，３では、本発明の制動力制御装置を、前輪駆動のハイブリッド車へ適用した例を示し、実施例２では、本発明の制動力制御装置を、後輪駆動のハイブリッド車へ適用した例を示した。しかし、ハイブリッド車、電気自動車、燃料電池車、等の電動車両に限らず、エンジン車へ本発明の制動力制御装置を適用することもできる。
【符号の説明】
【００８５】
１  ブレーキ液圧発生装置（基準液圧発生手段）
２  VDCブレーキ液圧ユニット（アシスト液圧発生手段）
２１  VDCモータ
２２  液圧ポンプ
２５  第１M/Cカットソレノイドバルブ
２６  第２M/Cカットソレノイドバルブ
３  ストロークセンサ
４FL  左前輪ホイールシリンダ
４FR  右前輪ホイールシリンダ
４RL  左後輪ホイールシリンダ
４RR  右後輪ホイールシリンダ
５  走行用電動モータ（回生制動力発生手段）
６１  プライマリ液圧管
６２  セカンダリ液圧管
６３  左前輪液圧管
６４  右前輪液圧管
６５  左後輪液圧管
６６  右後輪液圧管
７  ブレーキコントローラ
８  モータコントローラ
９  統合コントローラ
９１  バッテリコントローラ
９２  車速センサ
９３  ブレーキスイッチ
【図１】
0005853573.tif 000002
【図２】
0005853573.tif 000003
【図３】
0005853573.tif 000004
【図４】
0005853573.tif 000005
【図５】
0005853573.tif 000006
【図６】
0005853573.tif 000007
【図７】
0005853573.tif 000008
【図８】
0005853573.tif 000009
【図９】
0005853573.tif 000010
【図１０】
0005853573.tif 000011
【図１１】
0005853573.tif 000012
【図１２】
0005853573.tif 000013